(57)【要約】【課題】ＬＥＤ光源を採用するものでありながら、低沸点液体を封入した管体における気泡の生成を良好に行う。【解決手段】低沸点液体３０を封入してなり、下方部位が被加熱部３１となっている１本あるいは複数本の管体３と、管体３に光を照射する１つあるいは複数のＬＥＤ光源４と、ＬＥＤ光源４の電源と、管体３の被加熱部３１に近接して配置した加熱部９と、を備えた装飾灯具であって、加熱部９の熱源は、前記電源からＬＥＤ光源４へ供給される電流を用いた抵抗加熱である。【選択図】図３
2018181724.tif 000002
【特許請求の範囲】
【請求項１】
低沸点液体を封入してなり、下方部位が被加熱部となっている１本あるいは複数本の管体と、
前記管体に光を照射する１つあるいは複数のＬＥＤ光源と、
前記管体の前記被加熱部に近接して配置した加熱部と、を備え、
前記加熱部の熱源は、電源から前記ＬＥＤ光源へ供給される電流を用いた抵抗加熱である、
装飾灯具。
【請求項２】
前記装飾灯具は、交流電流を直流電流に変換する回路を備えており、
前記抵抗加熱は、前記回路における抵抗から生成される、
請求項１に記載の装飾灯具。
【請求項３】
前記装飾灯具は、
前記管体の下方部位を支持する第１支持部と、
前記ＬＥＤ光源を支持する第２支持部と、を備え、
前記管体の被加熱部は前記第１支持部の側面から少なくとも部分的に露出しており、
前記加熱部は前記第２支持部の側面に設けてあり、
前記第１支持部と前記第２支持部は、前記管体の被加熱部の露出部と前記加熱部が近接するように、側面同士を近接対向させて配置されている、
請求項１、２いずれか１項に記載の装飾灯具。
【発明の詳細な説明】
【技術分野】
【０００１】
本発明は、装飾灯具に係り、葬祭用の装飾灯具を例示することができる。
【背景技術】
【０００２】
低沸点液体を封入した管体を電球によって下方から照明すると共に、電球の熱によって管体内の低沸点液体から気泡を生成させる装置が知られている（特許文献１〜３）。
【０００３】
この装置の原理を利用した葬祭用の装飾灯具（いわゆる葬祭用灯篭）においては、管体内の下方部位で生成されて連続的に上昇する多数の小気泡と管体を下方から照射する光とが相俟って、荘厳な雰囲気が醸し出される（特許文献３参照）。
【０００４】
この種の従来の装飾灯具では、特許文献１〜３、及び、図４に示すように、照明源としての電球の熱を利用して管内の液体を沸騰させることで気泡すなわちバブルを生成しており、例えば、管体内部の液体の沸点は約４０度であり、約５０度程度で安定したバブリング状態となる。
【０００５】
近年、一般照明用の光源としてＬＥＤ（発光ダイオード）の利用が進んでいる。ＬＥＤは電球に比べて、省エネルギー、長寿命・高信頼性、低発熱、小型・軽量等の多くの利点を有している。しかしながら、上述の従来の装飾灯具において、電球を単にＬＥＤに置き換えたのでは、ＬＥＤの低発熱という特徴がマイナスに働くことによって、十分な加熱が行われずに気泡が生成されないという課題がある。
【特許文献１】実公昭３０−１２９６８号
【特許文献２】実公昭５５−３３５３７号
【特許文献３】特開平３−４０３０４号
【発明の開示】
【発明が解決しようとする課題】
【０００６】
本発明は、ＬＥＤ光源を採用するものでありながら、低沸点液体を封入した管体における気泡の生成を良好に行うことができる装飾灯具を提供することを目的とするものである。
【課題を解決するための手段】
【０００７】
本発明が採用した技術手段は、
低沸点液体を封入してなり、下方部位が被加熱部となっている１本あるいは複数本の管体と、
前記管体に光を照射する１つあるいは複数のＬＥＤ光源と、
前記管体の前記被加熱部に近接して配置した加熱部と、を備え、
前記加熱部の熱源は、電源から前記ＬＥＤ光源へ供給される電流を用いた抵抗加熱である、
装飾灯具、である。
１つの態様では、前記装飾灯具は、少なくとも側壁の一部が透光性部材からなる本体を備えており、
前記本体内に、前記１本あるいは複数本の管体が設けてあり、
前記ＬＥＤ光源は、前記管体及び前記本体に光を照射する。
【０００８】
１つの態様では、前記装飾灯具は、交流電流を直流電流に変換する回路を備えており、
前記抵抗加熱は、前記回路における抵抗から生成される。
【０００９】
１つの態様では、前記装飾灯具は、
前記管体の下方部位を支持する第１支持部と、
前記ＬＥＤ光源を支持する第２支持部と、を備え、
前記管体の被加熱部は前記第１支持部の側面から少なくとも部分的に露出しており、
前記加熱部は前記第２支持部の側面に設けてあり、
前記第１支持部と前記第２支持部は、前記管体の被加熱部の露出部と前記加熱部が近接するように、側面同士を近接対向させて配置されている。
【発明の効果】
【００１０】
本発明では、照明用の光源として低発熱という特徴を備えたＬＥＤ光源を用いるものでありながら、電源からＬＥＤ光源へ供給される電流を用いた抵抗加熱を熱源とする加熱部によって、管体に封入された低沸点液体を加熱して気泡を連続的に生成することができる。
【００１１】
加熱部の熱源としてＬＥＤ光源に用いる回路における抵抗加熱を利用することで、従来と異なり光源とは異なる加熱部を採用するものでありながら、構成がシンプルな装飾灯具を提供することができる。
【図面の簡単な説明】
【００１２】
【図１】本発明の実施形態に係る装飾灯具の概略斜視図である。
【図２】本実施形態に係る装飾灯具の要部の分解斜視図である。
【図３】本実施形態に係る装飾灯具の要部の斜視図である。
【図４】従来の低沸点液体が封入された管体の加熱手段を示す図である。
【発明を実施するための形態】
【００１３】
図１は、本発明の実施形態に係る装飾灯具の概略斜視図であり、装飾灯は、基台１と、基台１上に設けた筐体ないし本体２と、本体２内に垂直状に立設された複数本の起泡管３と、本体２内の下方部位に設けられ、起泡管３を後方かつ下方から照明するＬＥＤ光源４と、本体２内において、複数本の起泡管３の背面に設けた反射板５と、商用電源を入力電源として用いるための電源コード６と、を備えている。
【００１４】
本体２は、少なくとも正面壁２０が透光性材料から形成されており、１つの態様では、正面壁２０、側壁、後壁全体が半透明や透明のプラスチック材料から形成されている。本体２には絵柄等（図示せず）の装飾を施してもよい。図１では角筒状の本体２を示したが、本体２の形状は限定されず、例えば、円筒状（特許文献３参照）や六角筒状（特許文献２）であってもよい。図１では、本体２の頂面２１は平面であるが、冠状の屋根部としてもよく、また、本体２の頂面や側面に装飾用の飾り体を設けてもよい。冠状の屋根部や飾り体については、特許文献３を参照することができる。また、基台１を脚部によって支承するようにしてもよい。
【００１５】
起泡管３は、ガラス製の有底管体であり、上方部位が密閉された状態で低沸点液体３０が収容されている。低沸点液体３０は当業者において公知であり、例えば、特許文献３に開示されている液体を採用することができる。起泡管３の下方部位は被加熱部３１となっており、本実施形態では、被加熱部３１に位置して、起泡管３内部には金属製網状体が充填されている。金属製網状体は、いわば気泡生成助長体である。気泡生成助長体として、樹脂片（特許文献１）や硝子片（特許文献２）を用いてもよい。また、特許文献３に記載されているように、低沸点液体３０に多数の反射小片を混入させてもよい。
【００１６】
起泡管３の下方部位は、第１支持部７に支持されている。第１支持部７は概ね直方体状の樹脂ブロックであり、上面７０と、４つの側面（１つの側面７１のみ番号を付してある）と、底面を備えている。第１支持部７には、各起泡管３の下方部位を差し入れて支持する受け部７２が形成されている。受け部７２は上面７０から底面に向かって垂直状に形成された穴部であり、起泡管３の断面形状にフィットした略円形状の断面を備えており、起泡管３の下方部位を受け部７２に差し入れた時に、ほぼ隙間なく垂直状に支持するようになっている。
【００１７】
受け部７２の側面の一部は、第１支持部７の側面７１から露出するように切り欠かれて開放状となっており、起泡管３の下方部位を受け部７２に挿入した状態で、下方部位（すなわち、被加熱部３１）の一部が第１支持部７の側面７１から露出するようになっている。図示の態様では、第１支持部７には、３本の起泡管３の下方部位をそれぞれ受け入れる３つの受け部７２が形成されており、各受け部７２の側面の一部が、側面７１から露出するように切り欠かれており、各起泡管３の下方部位の一部が第１支持部７の側面７１から露出するようになっている（図２参照）。
【００１８】
ＬＥＤ光源４は、第２支持部８の上面に支持されている。第２支持部８は、概ね直方体状の樹脂ブロックであり、上面８０と、４つの側面（１つの側面８１のみ番号を付してある）と、底面を備える。第２支持部８の上面８０にＬＥＤ光源４及び制御基板４０が設けてある。本実施形態に係る装飾灯具は、第２支持部８から延びる電源コード６を介して商用電源（交流電源ＡＣ１００Ｖ）に接続することで、商用電源を入力源としてＬＥＤ光源４を点灯させる。一般に、商用電源を用いてＬＥＤを点灯させる場合には、効率や安全面等から直流電源を用いることが望ましいとされている。本実施形態においても、商用電源を入力源とした直流電源を用いてＬＥＤ光源４を発光させる。
【００１９】
第２支持部８の内部には、入力源である商用電源からＬＥＤ光源４を発光させるための直流電源を得るための電源回路（図示せず）が内蔵されている。直流を交流に変換する電源回路は当業者によく知られているので、詳細な説明は省略する。本実施形態では、起泡管３に封入された低沸点液体３の加熱において、電源回路中の抵抗に電流が流れた時に発生する抵抗加熱（ジュール熱）を加熱源として用いる。第２支持部８の側面８１には、加熱部９が設けてある。図示の態様では、加熱部９は側面８１に対して凸状となっているが、側面８１と面一でもよい。加熱部９は、ＬＥＤ光源４を発光させる際の電流によって発生したジュール熱を熱源とする要素であり、加熱部９自体が電源回路の抵抗要素でもよく、電源回路の抵抗要素から熱が伝達された要素であってもよい。１つの態様では、加熱部９は、セラミック抵抗、焼結体等からなるが、限定されない。
【００２０】
図１、図３に示すように、第１支持部７と第２支持部８は、側面７１、８１同士を近接させるようにして基台１に設けられる。第１支持部７及び第２支持部８は基台１の一部であってもよく、また、第１支持部７及び第２支持部８のみから基台１を構成してもよい。第１支持部７及び第２支持部８は、少なくとも加熱部９の熱に対抗できる程度の耐熱性の樹脂から形成されている。図示の態様では、第１支持部７と第２支持部８は同じ高さを有しており、側面７１と側面８１は高さ及び長さにおいて同一となっている。加熱部９は、第１支持部７の受け部７２に挿入された複数本（図示の態様では３本）の起泡管３の下方部位（被加熱部３１）に亘って対向する長さ寸法、及び、下方部位（被加熱部３１）に対向する高さ寸法を有している。したがって、第１支持部７と第２支持部８を、側面７１、８１同士を近接させて配置した時に、起泡管３の被加熱部３１に近接して加熱部９が配置されることになる。図示の態様では、１つの加熱部９を示したが、複数の加熱部９を設けてもよい。また、第２支持部８の上面８０に設けたＬＥＤ光源４は、起泡管３の後方の下方に位置することになり、後方かつ下方から起泡管３に光を照射する。
【００２１】
このように構成された装飾灯具において、電源コード６のプラグを商用電源のコンセントに差し込むと（基台１等に図示しないスイッチを設けて電源回路への電流供給を入り切りしてもよい）、第１支持部８の電源回路において商用交流電流から変換された直流電流が制御基板４０に送られ、ＬＥＤ電源４が発光する。この時、電源回路における抵抗から生成された抵抗加熱が加熱部９から放熱され、加熱部９に近接する起泡管３の下方部位の被加熱部３１が加熱され、被加熱部３１における低沸点液体３０が加熱されて、連続状に気泡が生成され起泡管３内を上昇する。同時に、起泡管３の背面の下方に位置するＬＥＤ光源４から起泡管３及び本体２、起泡管３の背面に設けた反射板５（例えば、プラスチックめっき部品である）に照明が行われ、正面から装飾灯具を見た時に、気泡の連続上昇とＬＥＤ光源による照明とが相俟って荘厳な雰囲気を醸し出すことができる。本実施形態に係る装飾灯具は、葬祭用装飾灯具として、祭壇や盆棚での使用に適するものである。
【００２２】
本発明に係る装飾灯具は、ＬＥＤ光源を用いることで、省エネルギー（低消費電力）及び長寿命といったＬＥＤの特徴を備えた灯具であり、かつ、電源からＬＥＤ光源へ供給される電流を用いた抵抗加熱を熱源とする加熱部によって、管体に封入された低沸点液体を加熱して気泡を連続的に生成することで、低発熱というＬＥＤ光源の特徴のマイナス面（本発明との関係における）が補完された装飾灯具である。
【符号の説明】
【００２３】
１  基台
２  本体
３  起泡管
３０  低沸点液体
３１  被加熱部
４  ＬＥＤ光源
５  反射板
６  電源コード
７  第１支持部
８  第２支持部
９  加熱部
【図１】
2018181724.tif 000003
【図２】
2018181724.tif 000004
【図３】
2018181724.tif 000005
【図４】
2018181724.tif 000006